(57)【要約】      （修正有）【課題】照射範囲の最適化によって、広い範囲からイカを集める機能を損なうことなく効率を向上させ、エネルギー消費量を低減するイカ釣り用集魚灯を提供する。【解決手段】無電極プラズマランプまたはレーザー照明装置からなる光源と、前記光源を点灯するための駆動装置と、放射される光束を水平方向の光束分布が最大となるように偏向させるための反射板または／及びレンズと、光束を透過させるための透明ガラスを備えた筐体と、前記光源および駆動装置を冷却するためのヒートシンクを備えることを特徴とする集魚灯。【選択図】図１
2017225387.tif 000002
【特許請求の範囲】
【請求項１】
漁船の船上に設置する集魚灯装置であって、天空および甲板方向の配光を抑制し、海面方向の配光を強化することを特徴とする集魚灯装置。
【請求項２】
光源と、光源を点灯するための駆動装置と、配光を制御するための機構と、光束を透過させるための透明ガラスを備えた筐体と、前記光源および駆動装置を冷却するためのヒートシンクを備えることを特徴とする請求項１の集魚灯装置。
【請求項３】
光源として、無電極プラズマランプまたはレーザー光源を用いることを特徴とする請求項２の集魚灯装置。
【請求項４】
配光を制御するための機構として、少なくとも１枚以上の反射鏡または／およびレンズを用いることを特徴とする請求項２の集魚灯装置。
【請求項５】
配光を制御するための機構が、集魚灯装置の中心から水平の方向に最大の配光ピーク形成することを特徴とする請求項２の集魚灯装置。
【発明の詳細な説明】
【技術分野】
【０００１】
本発明は、配光を最適化することによって効率を改善し、集魚能力を損なうことなく消費エネルギーを削減することができる集魚灯装置、特にイカ釣り用に有用な集魚灯装置に関する。
【背景技術】
【０００２】
イカ釣り漁業は、漁船の甲板上に集魚灯を複数吊り下げて点灯し、船下に集まったイカを自動イカ釣り機ないし手釣りによって釣り上げる漁法である。
従来、イカ釣り用集魚灯の光源として主にメタルハライドランプが使用されてきた。メタルハライドランプは、高輝度で、漁獲を促進させる作用がある半面、消費電力が大きく、これを点灯するためには大容量の発電設備が要求される。
また、集魚灯の点灯時には、発電用の機関によって膨大な量の燃料油が消費され、コスト増大の要因になっていた。
【０００３】
メタルハライドランプは、光源中心から立体角約４πのほぼ全方向に光束が放射される。これらの光束のうち、集魚に有効に作用するものは海面に到達した光束のみであるが、多くの光束は、天空や甲板に向かって放射され、集魚に全く関与せず、無駄になっている。
このようなことから、集魚灯の配光を制御し、無駄に放射される光束を海面に振り向けて集魚に有効な光束を増やす方法が、集魚灯の効率向上の手段として考えられてきた。
【０００４】
しかしながら、集魚灯用メタルハライドランプは陸上の光源と比較して大型であるがゆえに、文献１に示すような反射板を備えた配光制御機構は大型かつ複雑になりがちである。漁船では、設置スペースが限られるため、このような装置は実用化が困難である。
また、文献２に示すように、反射板等により配光制御機能を付加した集魚灯装置は、海面に光束が到達する効率が高い半面、指向性が強くなることから、照射範囲が狭くなり、広い範囲からイカを集める機能が失われる欠点を持っている。
【０００５】
省電力効果が期待される光源として発光ダイオード（ＬＥＤ：Ｌｉｇｈｔ Ｅｍｉｔｔｉｎｇ  Ｄｉｏｄｅ）があり、特許文献３及び特許文献４に示す通り、これを集魚灯に適用することが提案されている。
しかし、発光ダイオードを光源として用いた集魚灯は、重量や投影面積が大きく、十分な漁獲能力を得るべく大量の集魚灯を甲板上に搭載した場合、重心の上昇や風圧抵抗の増加など、漁船の安全性に与える負の影響が大きかった。
【先行技術文献】
【特許文献】
【０００６】
【特許文献１】特開２００３−１５８９５８号公報
【特許文献２】特開２００６−０３４１０８号公報
【特許文献３】特許第４１０５７４５号公報
【特許文献４】特許第４０６４４２３号公報
【発明の概要】
【発明が解決しようとする課題】
【０００７】
本発明は、上記諸問題を解決するものであって、照射範囲の最適化によって、広い範囲からイカを集める機能を損なうことなく効率を向上させ、エネルギー消費量を低減するイカ釣り用集魚灯を提供することを課題とする。
【課題を解決するための手段】
【０００８】
本発明の第１の課題解決手段は、発光部分が小さく、高輝度で点光源に近い無電極プラズマランプないしレーザー照明装置を光源として用いることである。これによって、装置全体の小型化が可能になるとともに、実質的な点光源であることによって、配光制御機構の構造を単純化することができる。
【０００９】
本発明の第２の課題解決手段は、前項の光源を下向きに点灯し、１つ以上の反射鏡またはレンズ、およびこれらの組み合わせによって、光軸を水平方向に向けることである。ただし、配光のピークは仰俯角方向では水平方向とするが、方位角方向では特定の方向に光束を絞り込まず、拡散するよう照射方向を制御する。
光源を下向きに点灯することによって、天空方向への照射が抑制され、配光制御機構によって、甲板方向へ向かう光束が偏向し、海面へ向かう配光が強化される。また、上記のような配光とすることによって、広い範囲からイカを集める機能を確保する。
【００１０】
本発明の第３の課題解決手段は、上記を実現し、集魚灯として必須の要件である防水性能および耐久性能を満たすため、集魚灯本体を、光源と、光源を点灯するための駆動装置と、配光を制御するための機構と、光束を透過させるための透明ガラスを備えた筐体と、前記光源を冷却するためのヒートシンクを一体化させた構造とすることである。
【００１１】
具体的には、次の発明を提供するものである。
１）漁船の船上に設置する集魚灯装置であって、天空および甲板方向の配光を抑制し、海面方向の配光を強化することを特徴とする集魚灯装置。
２）光源と、光源を点灯するための駆動装置と、配光を制御するための機構と、光束を透過させるための透明ガラスを備えた筐体と、前記光源および駆動装置を冷却するためのヒートシンクを備えることを特徴とする上記１）の集魚灯装置。
３）光源として、無電極プラズマランプまたはレーザー光源を用いることを特徴とする上記２）の集魚灯装置。
４）配光を制御するための機構として、少なくとも１枚以上の反射鏡または／およびレンズを用いることを特徴とする上記２）の集魚灯装置。
５）配光を制御するための機構が、集魚灯装置の中心から水平の方向に最大の配光ピーク形成することを特徴とする上記２）の集魚灯装置。
【発明の効果】
【００１２】
本発明の集魚灯によって、海面に到達する光束の割合が従来型漁灯よりも増加する。当該集魚灯の配光は、狭い範囲に絞り込まない設計であるため、照射範囲が従来型漁灯並みに確保される。以上のことから、従来型漁灯よりも少ないエネルギー消費で同等の効果をもたらすことができる。また、光源形状が点光源に近いことから、配光制御機構および本体をコンパクトに設計することが可能で、漁船に搭載した際の安全性も確保される。
【図面の簡単な説明】
【００１３】
【図１】本発明による集魚灯の全体図である。
【図２】図１の平面Ａにおける断面図である。
【図３】図１の平面Ａにおける配光の概念図である。
【図４】図１の平面Ｂにおける配光の概念図である。
【図５】無電極プラズマランプの分光分布を示す図である。
【図６】蛍光体変換方式のレーザー照明装置の分光分布を示す図である。
【図７】白色ＬＥＤの分光分布を示す図である。
【図８】メタルハライドランプの分光分布を示す図である。
【図９】光源を横向きに設置して照射した場合のスルメイカ群の滞留位置を示す図である。
【図１０】光源を下向きに設置して照射した場合のスルメイカ群の滞留位置を示す図である。
【図１１】集魚灯システム全体の放射束と、そのうち海面に到達する放射束の量を、メタルハライド集魚灯と本発明の集魚灯で比較した図である。
【発明を実施するための形態】
【００１４】
以下、本発明の実施するための形態を図面に基づき説明する。ただし、図面は、本発明の技術的思想を例示するもので、本発明を図面上の記載事項に限定するものではない。
本発明の集魚灯の全体図を図１に、図１の平面Ａにおける断面図を図２に、また本発明による配光イメージを図３および図４にそれぞれ示す。無電極プラズマランプ又はレーザー照明装置による光源１は、筐体５の上部に発光部を下向きにして設置される。
光源から放射された光束は光源の下方に位置する配光制御機構２によって仰俯角方向には水平向きに偏向される。また、配光制御機構２は特定の方位角方向に光束を絞り込む形状とはしない。
【００１５】
この配光制御機構によって、図３に示す平面Ａにおける配光曲線のように、甲板の照射を抑制しながら、仰俯角方向には水平方向に光度のピークを有し、図４に示す平面Ｂにおける配光曲線のように方位角方向には広い範囲に光を放射する配光を実現する。
上記配光制御機構として、反射鏡の他、レンズを用いることや、これら任意の組み合わせも可能である。
光源から放射された光束は、筐体５の一部を構成する透明ガラスケース４を透過して海面上に到達する。筐体には、光源の駆動装置３が内蔵され、筐体の外側には光源１および駆動装置３から発生する熱を逃がすため、ヒートシンク６が設置される。筐体は、雨や海水から光源および駆動装置を保護するため、防水構造とする。
【００１６】
本発明では光源として無電極プラズマランプまたはレーザー照明装置を使用する。これら光源は、発光部は小さいが高輝度であるという特徴を有し、これらを用いることによって配光制御機構の単純化や、装置全体の小型化が可能となる。他方、無電極プラズマランプとレーザー照明装置から放射される光の分光分布には相違があり、メタルハライド光源の分光分布とも異なっている。
【００１７】
具体的には、無電極プラズマランプは発光波長が広帯域にわたっているが（図５参照）、蛍光体変換方式のレーザー照明装置から放射された光の分光分布は（図６参照）、青色レーザー光で黄色の蛍光体を励起させて白色光を生成するため、白色ＬＥＤ光の分光分布（図７参照）に類似している。これらに対し、メタルハライド光源の分光分布は封入物に由来する複数のピークを有している（図８参照）。
【００１８】
異なる光源の光に対するイカの反応を検証するため、水槽に収容したスルメイカに対し、メタルハライドランプに類似した分光特性を持つバラストレス水銀灯と無電極プラズマランプの光を、両者の発光強度を等しく調節して照射し、行動を比較する実験が行われている。
実験の結果、光源を横向きに設置して照射した場合、スルメイカ群はいずれの光源の場合でも、光源を設置したプラットフォームが形成する陰影の内部に滞留する傾向を示した（図９参照）。他方、光源を下向きに設置して照射した場合、いずれの光源でもスルメイカ群は陰影域と照射域の間を出入りし、照射域にも滞留した（図１０参照）。
以上に示すとおり、スルメイカの行動は光源の種類よりも光の向きに強く影響されることが知られている（松井萌ら（２０１５）プラズマ灯光に対するスルメイカの行動応答、スルメイカ資源評価協議会報告（平成２６年度）、 Ｐ. ３７-３８）。
【００１９】
図９および図１０は、これらの実験結果の模式図であるが、図９は光源を横向きに設置した場合のスルメイカ群の滞留位置を示し、図１０は光源を下向き設置した場合のスルメイカ群の滞留位置を示すものである。
また、イカ釣り漁船の集魚灯として、発光ダイオードを光源としたものの使用が始まっているが、従来型のメタルハライド集魚灯と同様の海面照度分布を白色発光ダイオード集魚灯で再現してイカ釣り操業を行った場合、両者の漁獲能力はほぼ同等となることが知られている（国立研究開発法人水産総合研究センター開発調査センター（２０１５）、海洋水産資源開発ニュース Ｎｏ. ４３４）。
【００２０】
以上のことから、発光波長がある程度広帯域であれば、これら光源、すなわちメタルハライドランプ、無電極プラズマランプ、蛍光体変換方式のレーザー照明装置、白色発光ダイオードは、集魚灯装置の光源として、互に交換可能であると考えられ、高効率の光源を用いることによって、少ないエネルギー消費量で同等の漁獲能力を得ることが期待される。
【００２１】
本発明によって実現される配光は、天空および甲板方向の照射を抑制すること、仰俯角方向には水平方向にピークを持つこと、方位角方向には特定の方向に配光を絞り込まず、光源から放射された光束を拡散させることを特徴とする。これら特徴は、無駄に照射されて集魚に寄与しない光束を偏向し、海面方向へ振り向けることで照射効率を向上させることをねらいとしている。
【００２２】
しかし、配光制御によって光束を絞り込み、光軸を海面に向けることによって、さらに照射効率を向上することができる半面、照射範囲が狭くなり、広い範囲からイカを集める機能を失うことになる。既往の知見では、スルメイカは２海里程度の距離からも集魚灯の光に誘引されることが知られており（高尾芳三 （２０１３）「漁灯は広範囲からイカを集めている」水産工学研究所ほか編、イカ釣りＬＥＤ漁灯活用ガイド Ｐ. １４-１５）、広い範囲からの集魚を可能とするため、方位角方向には、可能な限り配光を絞り込まないことが望ましい。
【００２３】
また、遠方のイカに対する集魚効果を期するため、仰俯角方向の配光のピークは水平方向とすべきである。既存の技術であるメタルハライド集魚灯および発光ダイオード集魚灯においても、漁船に艤装する際には配光のピークが水平方向を向くよう設置されるのが一般的である。
【実施例】
【００２４】
以下に、上記形態によって実現する集魚灯装置を用いた場合の実施例として、１９トン型の小型イカ釣り漁船の集魚灯をメタルハライドランプから本発明に置き換えた場合の効果について、光学シミュレーションの結果に基づいて記述する。
【００２５】
典型的な１９トン型の小型イカ釣り漁船は、消費電力３ｋＷのメタルハライド集魚灯を５３本装備し、前灯を点灯した場合の消費電力は１５９ｋＷとなる。メタルハライド集魚灯1本から放射される光エネルギーの総和である全放射束を１，０８０Ｗとすると、システム全体では放射束は５７，２４０Ｗとなる（図１１Ａ）。
この放射束のうち、船体を中心とした２００ｍ四方の海面に到達する放射束の量をモンテカルロ法によりシミュレーションしたところ、システム全体の放射束の約１６％に相当する９，０２６Ｗであると試算された（図１１Ｂ）。
【００２６】
本発明による集魚灯の実施例として、無電極プラズマランプを光源とした、消費電力約０．５ｋＷ、全放射束約１２８Ｗの集魚灯を用いた際の効果を前述の方法と同様にシミュレーションした。当該集魚灯は、海面へ到達する放射束の割合が高く、約７６％の放射束が海面に到達すると試算された。前述のメタルハライド集魚灯と同量の放射束を海面に到達させるには、９５台の本発明による集魚灯が必要で、システム全体の放射束は１２，１１９Ｗ（図１１Ｃ）、うち海面に到達する放射束は９，１９０Ｗとなる（図１１Ｄ）。
【００２７】
上記事例の無電極プラズマランプ集魚灯を全て点灯した場合の消費電力は４７．５ｋＷとなる。以上のことから、上記のメタルハライド集魚灯と比較して約１／３の電力で、同等の漁獲能力を実現することが期待される。シミュレーションによる試算では、パネル状の発光ダイオード集魚灯では、放射束の海面到達率は３０％程度と試算されており、これと比較しても本発明による集魚灯は高効率であるといえる。
【産業上の利用可能性】
【００２８】
本発明は少ない消費電力で従来型集魚灯と同様の効果をもたらすものであり、イカ釣り漁業の支出において大きな割合を占める燃料費を削減し、経営改善に資する効果がある。また、機器を比較的コンパクトに設計できることから、甲板上への艤装が容易であり、重心の低下や風圧抵抗の減少など、漁船の安全性の向上にも寄与する。
【符号の説明】
【００２９】
１  光源
２  配光制御機構
３  光源駆動装置
４  透明ガラスケース
５  筐体
６  ヒートシンク
７  本発明の集魚灯装置
８  図１の平面Ａにおける配光曲線
９  図１の平面Ｂにおける配光曲線
１０  行動実験用光源（バラストレス水銀灯または無電極プラズマランプ）
１１  プラットフォーム
１２  海水
１３  スルメイカ群
【図１】
2017225387.tif 000003
【図２】
2017225387.tif 000004
【図３】
2017225387.tif 000005
【図４】
2017225387.tif 000006
【図５】
2017225387.tif 000007
【図６】
2017225387.tif 000008
【図７】
2017225387.tif 000009
【図８】
2017225387.tif 000010
【図９】
2017225387.tif 000011
【図１０】
2017225387.tif 000012
【図１１】
2017225387.tif 000013